(57)【要約】【課題】ユーザの興味を更に持続させることのできる遊具装置の提供。【解決手段】本発明は、遊具装置本体１１０と回転基体２００とを備えた遊具装置１００を前提とする。そして、遊具装置本体１１０は、バネ１２０体と、よじ登り防止部材１３０とを備える。バネ体１２０は、らせん形状に形成され、よじ登り防止部材設１３０は、バネ体１２０上端に設けられることを特徴とする。バネ体１２０中心にバネ支持部１４０を配置し、当該バネ支持部１４０に、バネ体１２０が支持される構成を採用しても構わない。【選択図】図１
2012019806.tif 000002
【特許請求の範囲】
【請求項１】
遊具装置本体と回転基体とを備えた遊具装置において、
前記遊具装置本体が、
らせん形状に形成されたバネ体と、
前記バネ体上端に設けたよじ登り防止部材とを備えることを特徴とする遊具装置。
【請求項２】
前記バネ体中心にバネ支持部を配置し、
前記バネ支持部に、前記バネ体が支持される、請求項１に記載の遊具装置。
【請求項３】
前記回転基体が、中心軸を揃えて下部基体と、上部回転体を積層して構成され、
前記下部基体が、
下部基板と、
前記下部基板上に配置され、前記上部回転体を回転駆動可能な駆動モータと、
前記中心軸周りに前記上部回転体が回転可能な位置に設けられ、前記上部回転体を支持するキャスタとを備える、請求項1に記載の遊具装置。
【請求項４】
前記回転基体が、中心軸を揃えて下部基体と、上部回転体を積層して構成され、
前記下部基体が、
下部基板と、
前記下部基板上に配置され、前記上部回転体を回転駆動可能な駆動モータと、
前記駆動モータにより回転される回転軸に軸支されたクランクと、
前記中心軸周りに前記上部回転体が回転可能な位置に設けられ、前記上部回転体を支持するキャスタとを備え、
前記回転基体とともに、前記遊具装置本体が偏心して回転する請求項１に記載の遊具装置。
【請求項５】
前記キャスタが、車輪を上にした状態で前記下部基板に配置され、当該キャスタの車輪で前記上部回転体を支持する、請求項３または４に記載の遊具装置。
【請求項６】
前記遊具装置本体に電力を供給するスリップリングを前記回転基体に備える、請求項３または４に記載の遊具装置。
【請求項７】
前記遊具装置本体が、傾斜した状態で前記回転基体に配置される、請求項１に記載の遊具装置。
【請求項８】
前記回転基体が、中心軸を揃えて下部基体と、上部回転体を積層して構成され、
前記遊具装置本体を前記回転基体上で回転させる小モータを当該回転基体内に備える、請求項1または３または４に記載の遊具装置。
【発明の詳細な説明】
【技術分野】
【０００１】
本発明は、遊具装置に関し、特にバネによる上下運動を体感可能な遊具装置に関する。
【背景技術】
【０００２】
現在、回転可能な遊具装置として下記特許文献１には、椅子型の遊具が開示されている。上記の遊具の他、一般に回転を前提に開発された遊具は、遊園地や、テーマパーク等で多く見られる。
【先行技術文献】
【特許文献】
【０００３】
【特許文献１】特開平８−２８９１６２号公報
【発明の概要】
【発明が解決しようとする課題】
【０００４】
本発明のユーザとして想定している子供は、動くものに大変興味をひきやすい。更に、上記子供は不安定なものに興味を引きやすい。ここで言う不安定とは、例えば形状や位置が変化して、一般の構造物と異なる動きをすることをいう。従って、不安定な機構を備えた構造物を回転させることができれば、子供の興味を長く持続させることができるため、上記ユーザの保護者からは、そのような遊具に対する要請が高い。
【０００５】
しかしながら、構造物としては安定していなければならないのは当然であり、上記不安定な遊具を製造するには高度な技術が必要であった。従って、そのような遊具を回転させることは、製造や、メンテナンス等が煩雑なるので、遊具メーカは、上記不安定な遊具を回転させることには消極的であった。本発明の目的は、簡単な構造で上記不安定な変化をする遊具装置を提供することにある。
【課題を解決するための手段】
【０００６】
上記課題を達成するための本発明は、遊具装置本体と回転基体とを備えた遊具装置を前提とする。そして、遊具装置本体は、バネ体と、よじ登り防止部材とを備える。バネ体は、らせん形状に形成され、よじ登り防止部材は、バネ体上端に設けられることを特徴とする。バネ体中心にバネ支持部を配置し、当該バネ支持部に、バネ体が支持される構成を採用しても構わない。上記構成を採用することで、バネ体部分が上下動や、左右に傾くので、当該バネ体に登る際に、ユーザの予想外の方向に傾くことになる。したがって、ユーザの興味を長期間持続させる遊具を提供可能となる。
【０００７】
上記の構成において、回転基体は、中心軸を揃えて下部基体と、上部回転体を積層して構成される。下部基体は、下部基板と、駆動モータと、上部回転体を支持するキャスタとを備える。駆動モータは、下部基板上に配置され、上部回転体を回転駆動可能なモータであり、キャスタは、中心軸周りに上部回転体が回転可能な位置に設けられる。当該キャスタは下部基体上の所定円周上に設けられることが望ましい。
【０００８】
若しくは、中心軸を揃えて下部基体と、上部回転体を積層して構成される、回転基体として以下のような構成を採用しても構わない。すなわち、下部基体が、下部基板と、駆動モータと、クランクと、上部回転体を支持するキャスタとを備える。駆動モータは、下部基板上に配置され、上部回転体を回転駆動可能なモータであり、駆動モータにより回転される回転軸にクランクが軸支される。そして、キャスタは、中心軸周りに前記上部回転体が回転可能な位置に設けられ、回転基体とともに、遊具装置本体が偏心して回転する構成である。当該キャスタは下部基体上の所定円周上に設けられることが望ましい。
【０００９】
上記キャスタが遊具装置本体の荷重を支えることで、上下方向の荷重を上記キャスタが支えることになる。従って、複数人のユーザが同時に遊具装置を使用したとしても上記回転基体を回転させることが可能となる。
【００１０】
上記の構成において（クランクが軸支された構成を含む）、上記キャスタが、車輪を上にした状態で下部基板に配置され、当該キャスタの車輪で上部回転体を支持することが望ましい。キャスタの車輪を上にして配置することで、回転が滑らかな回転基体を構成できる。更に、回転基体内の配線をキャスタが踏むことを効果的に防止する。
【００１１】
上記の構成において、遊具装置本体に電力を供給するスリップリングを備えることが望ましい。回転遊具が回転しているとしても、回転遊具に備えたＬＥＤ等の電気装飾部材に電力を供給することが可能となる。更に、駆動モータの回転軸に装着されて、回転軸の駆動トルクが予め定められた値以内になるように制御するトルクリミッタを備えてもよい。
【００１２】
遊具装置本体が、傾斜した状態で回転基体に配置される構成を採用することも可能である。回転基体に傾斜した状態で遊具装置本体が配置されることで、簡単な構成により、複雑な回転を生じさせることが可能となる。
【００１３】
更に、回転基体が、中心軸を揃えて下部基体と、上部回転体を積層して構成され、遊具装置本体を上記回転基体上で回転させる小モータを当該回転基体内に備える構成を採用しても構わない。上記小モータのみを上記回転基体に備える構成を採用してもよい。
【発明の効果】
【００１４】
本発明は、遊具装置本体と回転基体とを備えた遊具装置を前提とする。そして、遊具装置本体は、バネ体と、よじ登り防止部材とを備える。バネ体は、らせん形状に形成され、よじ登り防止部材設は、バネ体上端に設けられることを特徴とする。バネ体中心に支持棒を配置し、当該支持棒に、バネ体が支持される構成を採用しても構わない。
上記構成を採用することで、バネ体部分が上下動や、左右に傾くので、当該バネ体に登る際に、ユーザの予想外の方向に傾くことになる。したがって、ユーザの興味を長期間持続させる遊具を提供できることになる。
【図面の簡単な説明】
【００１５】
【図１】本発明の実施形態に係る遊具装置の全体構成を示す概念図である。
【図２】本発明の実施形態に係る遊具装置に使用される回転基体を上面視したときの全体構成を示す概念図である。
【図３】本発明の実施形態に係る遊具装置の全体構成を示す概念図である。
【図４】本発明の実施形態に係る遊具装置に備える回転基体の全体構成を示す概念図である。
【図５】本発明の実施形態に係る遊具装置の全体構成を示す概念図である。
【図６】本発明の実施形態に係る遊具装置の全体構成を示す概念図である。
【図７】本発明の実施形態に係る遊具装置の全体構成を示す概念図である。
【図８】本発明の実施形態に係る遊具装置の全体構成を示す概念図である。
【発明を実施するための形態】
【００１６】
（実施の形態１）
（遊具装置本体）
以下に、本発明の遊具装置１００について図面を参照して説明する。図１は、本発明の遊具装置１００の全体構成を示す概略模式図であり、図２、本発明の遊具装置１００に使用する回転基体２００を上方から見たときの概略模式図である。更に、図３から図６は本発明の遊具装置１００に備えられる回転基体２００若しくは当該回転基体２００を備えた遊具装置１００を説明する模式図である。ただし、本発明に直接には関係しない各部の詳細は省略している。なお、回転基体２００についての説明は後述する。
【００１７】
すなわち、図１に示すように、本発明の遊具装置１００は、遊具装置本体１１０と、回転基体２００を備える。上記遊具装置本体１１０は、管体をらせん形状に形成して構成される。上記らせん形状に形成される管体の材料は、鉄、ステンレス、カーボン、チタン等が好適に用いられる。本実施例では、鉄パイプを上記らせん形状に形成した。なお、上記らせん形状に形成した管体が、本発明のバネ体１２０に相当する。管体に代えて、中身の詰まった鋼材を用いてもよい。
【００１８】
本発明の遊具装置本体１１０には、上記らせん形状の管体上端に、よじ登り防止手段としてボール１３０を備える。当該ボール１３０を備えることで、ユーザ（幼児や年少の子供を想定している）が所定高さ以上によじ登ることを好適に防止する。
【００１９】
上記のように構成した遊具装置本体１１０を後述の回転基体２００に設置する。すなわち、上記らせん形状の管体下端に当該回転基体２００が固定されることになる。図１（Ｂ）に示すように、らせん状管体の中心部分にバネ支持部として直線状の管体１４０を配置し、当該らせん状管体を直線状の管体１４０に固定する構成を採用しても構わない。もちろん、上記直線状の管体１４０の上端に上記ボール１３０を固定する構成を採用してもよい。
【００２０】
（回転基体）
次に、本発明の遊具装置１００に備えられる回転基体２００について、図面を参照して説明する。図２から図６は、回転基体２００（当該回転基体２００を備えた遊具装置１００を含む）の概念模式図である。ただし、本発明に直接には関係しない各部の詳細は省略している。
【００２１】
上記回転基体２００は、上部回転体２１０と、下部基体２２０とを備える。図２（Ａ）に示すように、上部回転体２１０は、円形状の基板であるが、回転に支障がなければ矩形や多角形形状であっても構わない。
【００２２】
図２（Ｂ）及び、図３に示すように、下部基体２２０は中央歯車２２７と、当該中央歯車２２７を駆動する駆動モータ２２６と、キャスタ２２４とを備える。まず、下部基体２２０の下部基板２２１（本発明では円形形状を採用したがその形状は任意である）を上面視したとき、中心となる位置に、中央歯車２２７を配置する。もちろん上記中央歯車２２７の回転軸と上記下部基板２２１の中心軸を一致させるように両者を固定した状態で配置する。そして、上記中央歯車２２７を回転駆動可能な位置に駆動モータ２２６を配置する。中央歯車２２７が駆動モータ２２６によって回転可能なように、中央歯車２２７と駆動モータ２２６の回転軸とに対してローラーチェーンが巻き掛けられ、当該駆動モータ２２６の回転軸が回転すると、上記ローラーチェーンを介して上記中央歯車２２７が回転するように構成してもよい。
【００２３】
更に、上記下部基体２２０には、上記中央歯車２２７及び駆動モータ２２６と同一面上に、複数のキャスタ２２４が配置される。キャスタ２２４は、当該キャスタ２２４の車輪部分を上にして下部基体に配置される構成を採用した。上記複数のキャスタ２２４は、対向するキャスタ２２４が、下部基体２２０の中心に関して対称となる位置に配置され、隣接するキャスタ２２４間が等間隔になるように配置する。本実施例では、キャスタ２２４の車輪部分を上にする構成を採用した。キャスタ２２４の車輪が上向きになっていることで、当該キャスタ２２４が、回転基体２００内の配線等を踏むことがない。もちろん、上記キャスタの車輪部分を上にして配置する構成を採用しても構わない。
【００２４】
後述のように、上部回転体２１０及び、下部基体２２０を組み合わせた場合、キャスタ２２４が上部回転体２１０に接触する位置に円環形状のレール（図示しない）を設けてもよい。キャスタ２２４は当該レールに接触しながら回転することで、当該キャスタ２２４の回転に応じて上部回転体２１０が回転することになる。従って、本発明では下部基体２２０の上記各キャスタ２２４の車輪が上部回転体２１０を支持する構成となる。なお、上述のように、キャスタの車輪部分を下にする構成を採用しても構わない。
【００２５】
次に、上部回転体２１０と下部基体２２０を組み合わせる。まず、上記キャスタ２２４、中央歯車２２７、駆動モータ２２６が配置された面を上にした状態で、下部基体２２０を床面に配置する。そして、下部基板２２１、上部回転体２１０の中心が重なるように、上記下部基体２２０の上に、上部回転体２１０を積層する。このとき、下部基体２２０の中央歯車２２７が回転すると、上部回転体２１０が回転するように、上記中央歯車２２７を上部回転体２１０に嵌合又は固定することで、本発明の遊具装置１００を構成する。なお、メンテナンスのために、上記中央歯車２２７が、上部回転体２１０に取り外し可能に嵌合されることが望ましい。上記上部回転体２１０の形状は、上記遊具装置本体１１０を配置することができる形状であればよく、矩形状、多角形状、円形状等多種の形状の基板を取り付けることができる。
更に、上記駆動モータ２２６は図示しない制御部によって回転数が制御されるように構成されてもよい。制御部には、予め最適な回転数を記憶しており、当該回転数に基づいて上記駆動モータ２２６が回転駆動される構成が採用できる。駆動モータ２２６の作動をさせるためのスイッチ（図示せず）を回転基体２００に設け、当該スイッチにより駆動モータ２２６の回転速度を制御可能となるように構成しても構わない。
【００２６】
（実施の形態２）
実施の形態１に使用した回転基体２００を以下のように構成することにより偏心して回転する遊具装置１００を構成することが可能となる。なお、後述の偏心軸以外については実施の形態１で説明した遊具装置１００と同じ構成を採用する。従って偏心軸以外の構成については図示及び説明を省力する。
【００２７】
図４及び、図５に示すように、駆動モータ２２６の回転軸に後述の偏心軸を用いる。すなわち、上記図４及び、図５に示すように、駆動モータ２２６の回転軸に対して所定距離ずれた軸とを結ぶ柄からなる偏心軸（例えば、クランク２２８）を上記駆動モータ２２６に備えることで、当該駆動モータの回転軸を所定の範囲ずらすように構成することができる。
【００２８】
すなわち、クランク２２８の一方端は駆動モータ２２６の回転軸と同じ軸上で回転し、クランク２２８の他端は、当該回転軸に対して偏心して回転することになる（回転軸がずれた状態で回転することを意味する）。もちろん、駆動モータ２２６の作動をさせるためのスイッチ（図示せず）が回転基体２００に設けられることは言うまでもない。当該スイッチにより駆動モータ２２６の回転速度を制御可能となるように構成しても構わない。もちろん上記図４及び、図５に示す回転基体２００は、上部回転体２１０と、下部基体２２０とを備える。そして、上部回転体２１０は、円形状の基板であり、下部基体２２０は、上記クランク２２８を駆動する駆動モータ２２６と、複数のキャスタ２２４とを備え、各キャスタ２２４が上部回転体２１０を支持することは言うまでもない。
【００２９】
上記上部回転体２１０の自転を規制するための規制手段２２９を設けることもできる。当該規制手段２２９は、駆動モータ２２６が配置された下部基板２２１と、上部回転体２１０とを連結する弾性体（ゴムやバネ等が好適に用いられる）である。規制手段２２９は、上部回転体２１０の自転を規制するように構成できれば、その配置方法は任意である。本実施例では、図４（Ｂ）及び、（Ｃ）に示すように、上記下部基板２２１に配置された駆動モータ２２６近傍から、上部回転体２１０の下面に上記規制手段２２９を配置する構成を採用する。上記下部基板２２１から、垂直方向に上記規制手段２２９を配置する構成を採用してもよく、上記下部基板２２１から斜めに配置しても構わない。上記規制手段２２９により、上部回転体２１０が自転を規制されるので、当該上部回転体２１０は、揺動しながら上記駆動モータ２２６の回転軸を中心として回転することになる。
【００３０】
（その他）
実施の形態２では、クランク２２８の一方端（他端は駆動モータ２２６の回転軸に取り付けられる）に上部回転体２１０を水平に取り付ける構成を採用した。これに対して、遊具装置本体１１０を傾斜させた状態で取り付ける構成を採用することができる。
【００３１】
図７には、上部回転体２１０に傾斜板２３０を設けて、遊具装置本体１１０を傾斜した状態で当該上部回転体２１０上に配置する構成を示した。この場合も、駆動モータ２２６の回転軸は実施の形態１で使用した回転軸を使用してもよいし（図６（Ａ）参照）、実施の形態２で使用したクランク２２８を使用しても構わない（図６（Ｂ）参照）。なお、遊具装置本体１１０を傾斜して取り付ける構成以外については、上記実施の形態１及び２と同じであるので、説明及び図示を省略する。
【００３２】
上記回転基体２００（以下、クランク２２８を設けた場合及び設けない場合を含めて説明する。）に備えた駆動モータ２２６の過負荷を保護する過負荷保護手段（例えば、トルクリミッタ）を上記駆動モータ２２６の回転軸又は、上記クランク２２８に取り付けてもよい。上述のように、駆動モータ２２６の上方には、遊具装置本体１１０が配置されるため、遊戯を望むユーザの体重分の荷重が当該駆動モータ２２６にかかることになる。所定以上の荷重が駆動モータ２２６にかかると、上記過負荷保護手段が、当該荷重を検知し、駆動モータ２２６を空回りさせる構成が採用できる。
【００３３】
すなわち、例えば、駆動モータ２２６の出力軸（回転軸）と中央歯車２２７との間には過剰なトルクから駆動モータ２２６を保護するトルクリミッタと、回転トルクを検出するトルクセンサとが設けられる。なお、トルクセンサとしては、接触式のトルクセンサを用いてもよく、あるいはまた非接触式のトルクセンサを用いるようにしてもよい。上記トルクセンサによって検出されるトルクが予想範囲を超えた場合には、トルクリミッタにより、駆動モータ２２６からの回転動力が中央歯車２２７に伝達されないようになっている。
【００３４】
若しくは、インバータ制御により、上記荷重がかかることにより、駆動モータに所定以上の電流が流れると、当該駆動モータへの電流を遮断する構成を採用しても構わない。
更に、遊具装置１００にスリップリング（図示しない）を設け、このスリップリングによって遊具装置１００の電飾部材（例えば、装置外面に設けられるＬＥＤリボン）に電力を供給するようにしてもよい。電力供給手段としてスリップリングを使用することで、遊具装置１００が回転しても、配線のねじれ等がなく、給電が可能となる。
【００３５】
図７に示すように、上記遊具装置本体１１０を回転基体２００上で回転させる小モータ２４０を上記回転基体２００に更に備える構成を採用しても構わない。若しくは、図８に示すように、上記回転基体２００に上記小モータ２４０のみを備える構成を採用することもできる。
【産業上の利用可能性】
【００３６】
本発明は、遊具装置本体と回転基体とを備えた遊具装置を前提とする。そして、遊具装置本体は、バネ体と、よじ登り防止部材とを備える。バネ体は、らせん形状に形成され、よじ登り防止部材設は、バネ体上端に設けられることを特徴とする。バネ体中心に支持棒を配置し、当該支持棒に、バネ体が支持される構成を採用しても構わない。
上記構成を採用することで、バネ体部分が上下動や、左右に傾くので、当該バネ体に登る際に、ユーザの予想外の方向に傾くことになる。したがって、ユーザの興味を長期間持続させる遊具を提供できることになり、その産業上の利用可能性は大きい。
【符号の説明】
【００３７】
１００  遊具装置
１１０  遊具装置本体
１２０  バネ体
１３０  ボール（よじ登り防止部材）
１４０  直線状の管体（バネ支持部）
２００  回転基体
２１０  上部回転体
２２０  下部基体
２２４  キャスタ
２２６  駆動モータ
２２７  中央歯車
２２８  クランク
２３０  傾斜板
【図１】
2012019806.tif 000003
【図２】
2012019806.tif 000004
【図３】
2012019806.tif 000005
【図４】
2012019806.tif 000006
【図５】
2012019806.tif 000007
【図６】
2012019806.tif 000008
【図７】
2012019806.tif 000009
【図８】
2012019806.tif 000010